(57)【要約】      （修正有）【課題】ローソク立て、即ち燭台そのものであって、その燭台において蝋燭を立てるピン、針、心棒等を称される立設ピンに付着した煤、蝋や、蝋受皿に付着した蝋を容易に除去することができるようにした燭台を提供する。【解決手段】蝋燭Ｃから流れ落ちた蝋を受ける蝋受皿１２と、蝋燭Ｃを立てるために蝋受皿１２の上面中心から突出して設けられる立設ピン１３とを備え、蝋燭Ｃを立設ピン１３に立てた状態に保持して燃焼を行わせる燭台１０であって、少なくとも立設ピン１３の全表面をフッ素樹脂でコーティングしている。【選択図】図１
0003199494.tif 000002
【実用新案登録請求の範囲】
【請求項１】
蝋燭から流れ落ちた蝋を受ける蝋受皿と、蝋燭を立てるために前記蝋受皿の上面中心から突出して設けられる立設ピンとを備え、蝋燭を立設ピンに立てた状態に保持して燃焼を行わせる燭台であって、少なくとも前記立設ピンの全表面をフッ素樹脂でコーティングしていることを特徴とする燭台。
【請求項２】
立設ピンの全表面の他、蝋受皿の上面若しくは全表面をフッ素樹脂でコーティングしていることを特徴とする請求項１に記載の燭台。
【考案の詳細な説明】
【技術分野】
【０００１】
本考案は燭台に関する。
【背景技術】
【０００２】
蝋燭を立てて燃やすための燭台は古くから用いられており、種々の形のものがある。また材質としては金属製の他、瀬戸物、ガラス製等、不燃で耐熱性のあるものが用いられている。
種々の燭台に共通の構成としては、蝋燭から融けて流れ落ちた蝋を受ける蝋受皿と、蝋燭を立てるための立設ピンを一般に備えている点であると言える。
燭台における従来からの問題は、蝋燭の黒い燃えカスや蝋が前記立設ピンや蝋受皿に付着し易く、且つその除去が簡単に行い難いことである。よって次に蝋燭を立てる際に、その蝋燭が立て難くなることである。
【先行技術文献】
【特許文献】
【０００３】
【特許文献１】特開平９−２５２９２３号公報
【特許文献２】特開２０００−１４９６５５号公報
【特許文献３】特開２００６−３３１７９７号公報
【考案の概要】
【考案が解決しようとする課題】
【０００４】
上記特許文献１に開示の蝋燭の蝋受け具及びその燭台は、燭台１に対して、蝋燭の蝋受け具３を着脱自在に設けたものである。蝋受け具３には、燭台１のピン２を貫通させる貫通部５を形成している。蝋燭から流れ落ちた蝋は蝋受け具３に溜まるので、該蝋受け具３を燭台から取り外して、蝋受け具３ともども廃棄すれば、使い捨て状態となって流れ落ちた蝋の始末をする必要がない。しかしながら使い捨てであるので、コストが高くなる問題がある。また蝋受け具３を使い捨てとしない場合には、取り外した蝋受け具３を掃除して蝋を排除する必要がある。
上記特許文献２に開示するローソク立て掃除器は、ローソク立ての針５に付着した蝋等の付着物を除去する器具である。しかしローソク立てそのものではない。また除去できるのは針５に付着した蝋だけであり、受け皿６についた蝋等は除去できない。
上記特許文献３に開示のローソク立て掃除器も、ローソク立ての心棒５２に付着した蝋や煤等の付着物を除去する器具である。上記特許文献２と同様に、ローソク立てそのものではない。また除去できるのは心棒５２に付着した蝋や煤だけであり、容器部（受け皿）５１に付着したものまでを除去することができない。
【０００５】
そこで本考案は上記従来技術の問題を解消し、ローソク立て、即ち燭台そのものであって、その燭台において蝋燭を立てるピン、針、心棒等と称される立設ピンに付着した煤、蝋や、蝋受皿に付着した蝋を容易に除去することができるようにした蝋台の提供を課題とする。
【課題を解決するための手段】
【０００６】
本考案の燭台は、蝋燭から流れ落ちた蝋を受ける蝋受皿と、蝋燭を立てるために前記蝋受皿の上面中心から突出して設けられる立設ピンとを備え、蝋燭を立設ピンに立てた状態に保持して燃焼を行わせる燭台であって、少なくとも前記立設ピンの全表面をフッ素樹脂でコーティングしていることを第１の特徴としている。
また本考案の燭台は、上記第１の特徴に加えて、立設ピンの全表面の他、蝋受皿の上面若しくは全表面をフッ素樹脂でコーティングしていることを第２の特徴としている。
【考案の効果】
【０００７】
請求項１に記載の燭台によれば、燭台の少なくとも立設ピンの全表面をフッ素樹脂でコーティングしているので、蝋燭が燃えて短くなったときに、融けた蝋、燃えカス、煤、或いは融けた蝋と燃えカスや煤の灰が混ざったものが立設ピンに付着することがあっても、その付着力は非常に小さく、軽く拭くだけで、立設ピンの全表面からごく容易に剥離、脱落させることができる。よって蝋燭の立設ピンが蝋や灰で黒くこびり付いた、いわゆる汚い状態となるのを確実に防止することができると共に、その剥離や洗浄、浄化に苦労することもなくなり、長期間に亘ってきれいな状態で使用することができる。また直ぐに付着物を除去できるので、蝋燭が立て易くなる。
【０００８】
請求項２に記載の燭台によれば、上記請求項１に記載の作用効果に加えて、蝋受皿の上面若しくは全表面をフッ素樹脂でコーティングしているので、蝋燭から流れ落ちた蝋や燃えカス、煤が蝋受皿の受け面やその周囲に付着しても、ごく容易にそれを剥離、脱落させることができる。よって蝋受皿が蝋や灰で汚れるのを防止することができ、またその剥離や洗浄、浄化に時間を費やして、苦労することもなくなり、長期に亘ってきれいな状態で使用することができる。
【図面の簡単な説明】
【０００９】
【図１】本考案に係る燭台の実施形態を示す全体斜視図である。
【図２】本考案に係る燭台の立設ピンの途中位置を水平に断面して見た拡大図である。
【図３】本考案に係る燭台の蝋受皿の一部を断面して見た拡大図である。
【考案を実施するための形態】
【００１０】
以下の図面を参照して、本考案の実施形態に係る燭台を説明し、本考案の理解に供する。しかし、以下の説明は本考案の実用新案登録請求の範囲に記載の範囲を限定するものではない。
【００１１】
先ず図１を参照して、燭台１０は金属製とし、基台１１と、蝋受皿１２と、立設ピン１３とからなる。
前記基台１１と蝋受皿１２とは螺合により着脱自在に結合して構成している。勿論、一体物として脱離不能状態に構成してもよい。
前記立設ピン１３は、前記蝋受皿１２の皿上面の中心から突出した状態に設けられている。この立設ピン１３は、蝋受皿１２に対して螺合して取り付けるようにしてもよいが、溶接等により一体化して取り付けるようにしてもよい。
前記立設ピン１３に対して蝋燭Ｃのお尻部分を差し込むことで、蝋燭Ｃを立てることができる。
蝋燭Ｃが燃えると、該蝋燭Ｃから融けた蝋が蝋受皿１２の上面に流れ落ちて溜まる。また蝋燭Ｃが燃えて短くなると、芯の燃えカスや煤、蝋が、立設ピン１３に黒ずんだ汚れとなって付着することになる。
【００１２】
図２に、前記立設ピン１３の一部を水平断面したものを示す。立設ピン１３は、その金属本体１３ａの表面にプライマー層１３ｂを介してフッ素樹脂層１３ｃをコーティングしている。
前記金属本体１３ａはステンレス鋼等の鉄系金属、アルミ系金属を用いることができる。前記プライマー層１３ｂは、金属本体１３ａとフッ素樹脂層１３ｃとが強固に接着して剥がれないようにするための接着層であって、金属本体１３ａの材質とフッ素樹脂層１３ｃの材質に応じて、両者に対して接着力を発揮できるものが選ばれる。
【００１３】
フッ素樹脂コーティングの工程は、例えば、先ず立設ピン１３の表面を脱脂し、次いで表面を疎面化する等の下地処理を施す。次にプライマー層１３ｂを塗装処理し、更に焼成・焼き付け処理する。プライマー層１３ｂの金属本体１３ａへの接着が完了すると、フッ素樹脂を溶剤に溶かしたフッ素樹脂塗料をプライマー層１３ｂの上から塗装・焼成する。このフッ素樹脂塗料の塗装・焼成を複数回繰り返すことで、所定の厚みのフッ素樹脂層１３ｃを形成することができる。
このようにしてフッ素樹脂層１３ａをコーティングすることによって、蝋燭Ｃが短くなったときに、融けた蝋、燃えカスや煤、或いは融けた蝋と燃えカスや煤の灰が混ざったものが立設ピン１３に付着することがあっても、その付着力を非常に小さくすることができ、軽く拭くだけで、立設ピン１３の全表面からごく容易にそれら付着物を剥離、脱落させることができる。よって次の蝋燭が立て易く、常に燭台をきれいにしておくことが可能となる。
【００１４】
図３に、前記蝋受皿１２の一部の断面を示す。蝋受皿１２の場合は、蝋燭Ｃの蝋が流れ落ち、或いは蝋燭Ｃの芯の燃えカスが付着し易い部分、即ち皿の上面をフッ素樹脂でコーティングしている。即ち図３において、蝋受皿１２の金属本体１２ａの上面にプライマー層１２ｂを介してフッ素樹脂層１２ｃをコーティングしている。
蝋受皿１２の金属本体１２ａは、前記立設ピン１３の場合と同様に、ステンレス鋼等の鉄系金属、アルミ系金属を用いることができる。前記プライマー層１３ｂは、金属本体１２ａとフッ素樹脂層１２ｃとが強固に接着してはがれないようにするための接着層であって、金属本体１２ａの材質とフッ素樹脂層１２ｃの材質に応じて、両者に対して接着力を発揮できるものが選ばれる。
【００１５】
なお、フッ素樹脂のコーティングは蝋受皿１２の全表面に施してもよい。
【００１６】
また燭台１０は金属製とする代わりに、全てセラミック製とすることができる。更に基台１１や蝋受皿１２はセラミック製、立設ピン１３は金属製とする、又は基台１１はセラミック製、蝋受皿１２と立設ピン１３は金属製とする、こともできる。
なお、フッ素樹脂をコーティングしない基台１１の材質は問わない。
またフッ素樹脂のコーティングの際に必要とする昇温に耐えることができる材料を条件として、前記蝋受皿１２、立設ピン１３の材質は問わない。
【００１７】
以上、本考案の実施形態によれば、蝋燭Ｃの蝋や蝋燭Ｃの芯の燃えカス、煤が付着し易い燭台１０の蝋受皿１２や立設ピン１３の表面をフッ素樹脂でコーティングしたことにより、それら蝋、燃えカスや煤の付着力を十分に小さく抑えることができ、よって従来において苦労していた燭台１０の清掃作業を著しく軽減することが可能となった。
【産業上の利用可能性】
【００１８】
本考案の燭台は、燭台清掃の労力、手間を顕著に軽減することができる燭台として、産業上の利用可能性が大きい。
【符号の説明】
【００１９】
１０          燭台
１１          基台
１２          蝋受皿
１２ａ        金属本体
１２ｂ        プライマー層
１２ｃ        フッ素樹脂層
１３          立設ピン
１３ａ        金属本体
１３ｂ        プライマー層
１３ｃ        フッ素樹脂層
Ｃ            蝋燭
【図１】
0003199494.tif 000003
【図２】
0003199494.tif 000004
【図３】
0003199494.tif 000005